(57)【要約】【課題】吊戸ガイド装置の本体を収容させる穴を精度良く形成し難い床に対しても、強固に取り付け得る吊戸ガイド装置を提供する。【解決手段】吊戸ガイド装置１は、床４に形成された収容穴５に収容されるケース１４と、該ケースに対して昇降自在に設けられ、その先端部が吊戸２の下端面に形成されたガイド溝３に挿入されて前記吊戸をガイドする昇降体１１と、前記ケースの上端周縁部１７を上方から押さえるように、かつ前記収容穴を覆うように前記床に固定されるフランジ部材２０と、を備えている。【選択図】図１
2014020049.tif 000002
【特許請求の範囲】
【請求項１】
床に形成された収容穴に収容されるケースと、
該ケースに対して昇降自在に設けられ、その先端部が吊戸の下端面に形成されたガイド溝に挿入されて前記吊戸をガイドする昇降体と、
前記ケースの上端周縁部を上方から押さえるように、かつ前記収容穴を覆うように前記床に固定されるフランジ部材と、を備えていることを特徴とする吊戸ガイド装置。
【請求項２】
請求項１において、
前記ケースの底部には、前記収容穴の内底面に弾接されて、該ケースの上端周縁部を前記フランジ部材の下面側に圧接させる弾性部材が設けられていることを特徴とする吊戸ガイド装置。
【請求項３】
請求項１または２において、
前記ケースの上端周縁には鍔状部が設けられており、この鍔状部に、前記フランジ部材の下面側開口周縁部が当接されることを特徴とする吊戸ガイド装置。
【請求項４】
請求項１乃至３のいずれか１項において、
前記フランジ部材の下面側開口周縁部には、前記ケースの上端周縁部を受け入れる凹状段部が全周に亘って設けられていることを特徴とする吊戸ガイド装置。
【請求項５】
請求項１乃至４のいずれか１項において、
前記フランジ部材には、該フランジ部材を前記床に固定する止具が挿通される止具挿通孔が設けられていることを特徴とする吊戸ガイド装置。
【請求項６】
請求項１乃至５のいずれか１項において、
前記ケースは、外郭形状が平面視略円形状とされており、前記昇降体は、前記ケースに対して平面視して偏心した位置に設けられていることを特徴とする吊戸ガイド装置。
【発明の詳細な説明】
【技術分野】
【０００１】
本発明は、吊戸の下端面に形成された溝に挿入され、吊戸をガイドする吊戸ガイド装置に関する。
【背景技術】
【０００２】
従来より、吊り戸の下端面に形成された走行溝に（溝）向けて突出し、該走行溝に挿入されるガイドピンを備えた吊り戸のガイド装置が知られている（例えば、下記特許文献１及び特許文献２参照）。
これら特許文献に記載されたガイド装置は、外筒と内筒とで構成され床面下に埋設される本体と、該本体内に上方に突出自在に収納されるガイドピンと、を備えており、床面に穿孔された穴に本体の外筒が打ち込まれて、床に固定される構造とされている。
【先行技術文献】
【特許文献】
【０００３】
【特許文献１】特開２００４−２２５４３６号公報
【特許文献２】特開２００４−２５１１０４号公報
【発明の概要】
【発明が解決しようとする課題】
【０００４】
しかしながら、上記のようなガイド装置の本体を打ち込んで埋設させるための穴を、コンクリート仕上げとされた床や、タイル仕上げとされた床、コンクリート下地上に薄床材を貼着したような床等に精度良く形成することは困難であった。つまり、このような床を穴の形成対象とした場合には、例えば、木質系床材や、該床材を含む木質系床下地材に本体を埋設させる穴を形成する場合と比べて、該穴を精度良く形成し難く、ガイド装置の本体が該穴から外れ易くなることも考えられ、更なる改善が望まれる。
【０００５】
本発明は、上記実情に鑑みてなされたものであり、吊戸ガイド装置の本体を収容させる穴を精度良く形成し難い床に対しても、強固に取り付け得る吊戸ガイド装置を提供することを目的とする。
【課題を解決するための手段】
【０００６】
上記目的を達成するために、本発明に係る吊戸ガイド装置は、床に形成された収容穴に収容されるケースと、該ケースに対して昇降自在に設けられ、その先端部が吊戸の下端面に形成されたガイド溝に挿入されて前記吊戸をガイドする昇降体と、前記ケースの上端周縁部を上方から押さえるように、かつ前記収容穴を覆うように前記床に固定されるフランジ部材と、を備えていることを特徴とする。
【０００７】
本発明においては、前記ケースの底部には、前記収容穴の内底面に弾接されて、該ケースの上端周縁部を前記フランジ部材の下面側に圧接させる弾性部材が設けられていてもよい。
また、本発明においては、前記ケースの上端周縁には鍔状部が設けられており、この鍔状部に、前記フランジ部材の下面側開口周縁部が当接されてもよい。
また、本発明においては、前記フランジ部材の下面側開口周縁部には、前記ケースの上端周縁部を受け入れる凹状段部が全周に亘って設けられていてもよい。
また、本発明においては、前記フランジ部材には、該フランジ部材を前記床に固定する止具が挿通される止具挿通孔が設けられていてもよい。
また、本発明においては、前記ケースは、外郭形状が平面視略円形状とされており、前記昇降体は、前記ケースに対して平面視して偏心した位置に設けられていてもよい。
【発明の効果】
【０００８】
本発明に係る吊戸ガイド装置は、上記のような構成としたことで、吊戸ガイド装置の本体を収容させる穴を精度良く形成し難い床に対しても、強固に取り付けることができる。
【図面の簡単な説明】
【０００９】
【図１】（ａ）、（ｂ）は、いずれも本発明の一実施形態に係る吊戸ガイド装置の一例を模式的に示し、（ａ）は、図３のＸ−Ｘ線矢視に対応させた一部破断概略側面図、（ｂ）は、（ａ）に対応させた一部を省略した一部破断概略分解側面図である。
【図２】（ａ）は、同吊戸ガイド装置を施工した状態の一例を模式的に示す概略平面図、（ｂ）は、同吊戸ガイド装置が備えるフランジ部材の一例を模式的に示す概略底面図である。
【図３】同吊戸ガイド装置を施工した状態の一例を模式的に示す概略正面図である。
【発明を実施するための形態】
【００１０】
以下に本発明の実施の形態について、図面に基づいて説明する。
図１〜図３は、本実施形態に係る吊戸ガイド装置の一例を模式的に示す図である。
なお、以下の実施形態では、吊戸ガイド装置が設置された状態を基準として上下方向等を原則的に説明する。
【００１１】
本実施形態に係る吊戸ガイド装置１は、図３に示すように、床４に固定され、吊戸２の下端部側をガイドする構造とされている。
吊戸２は、略矩形平板状とされ、住居等の建物の内壁に開設された開口部に配設された戸枠に、戸幅方向に沿って移動自在に建て付けられる。この吊戸２の上端部には、転動体（ローラー）等を有したランナー部材等の上ガイド部材が設けられている。
この吊戸２の下端面には、下向きに開口したガイド溝３が戸幅方向に沿って全長に亘って設けられている（図１（ａ）も参照）。ガイド溝３の溝幅寸法は、後記する吊戸ガイド装置１の昇降体１１の先端部の幅寸法に応じた寸法とされている。
【００１２】
本実施形態では、図３に示すように、吊戸２を、片引式の一枚の引戸として施工した例を示している。図例では、吊戸２を袖壁（控え壁）に納める袖壁納めの態様とした例を示している。
この吊戸２が建て付けられる戸枠は、開口部の内周に沿って配設され、例えば、上枠や、戸先側及び戸尻側の一対の縦枠、中間縦枠（中方立）等を備えたものとしてもよい。
また、上枠には、図示を省略しているが、吊戸２を吊り下げガイドする上ガイドレールが設けられている。このような上ガイドレールとしては、吊戸２の上ガイド部の構成に応じたものとすればよく、例えば、下方に向けて開口する縦断面形状が略コ字状（略Ｕ字状乃至は略Ｃ字状）とされた凹溝を長手方向の全長に亘って設けたものとしてもよい。この上ガイドレールの凹溝に、吊戸２の上ガイド部材の転動体等が収容され、吊戸２が戸幅方向に沿って吊下ガイドされる。
【００１３】
吊戸ガイド装置１は、吊戸２の移動軌跡に沿って、吊戸２の直下に設けられる。この吊戸ガイド装置１は、戸幅方向に沿って移動する吊戸２の直下に、常時、少なくとも一個の吊戸ガイド装置１が存在するように設けるようにしてもよい。図例では、複数（図例では、四個）の吊戸ガイド装置１を互いに間隔を空けて設けた例を示しており、戸先側及び戸尻側のそれぞれに二個の吊戸ガイド装置１，１を設けた例を示している。なお、吊戸ガイド装置１の配設個数や位置等は、図例のような態様に限られず、他の態様としてもよい。
この吊戸ガイド装置１の取付対象としての床４は、例えば、コンクリート仕上げとされた床や、タイル仕上げとされた床、コンクリート下地上に、例えば、１２ｍｍ未満の薄床材を貼着したような床等としてもよい。
【００１４】
この吊戸ガイド装置１は、図１に示すように、ガイド装置本体１０と、ガイド装置本体１０を上方から押さえるように床４に固定されるフランジ部材２０と、を備えている。
ガイド装置本体１０は、床４に形成された収容穴５に収容されるケース１４と、ケース１４に対して昇降自在に設けられ、その先端部が吊戸２の下端面に形成されたガイド溝３に挿入されて吊戸２をガイドする昇降体１１と、を備えている。
【００１５】
ケース１４は、上下に開口する中空部が設けられた筒状とされている。この中空部に昇降体１１が伸縮自在に収容される構造とされている。
また、ケース１４は、外郭形状が平面視略円形状とされている。つまり、ケース１４は、略円筒形状とされている。
なお、中空部に、下降（収縮）した昇降体１１の下方側への移動を規制する抜止ピン等の抜止部を設けるようにしてもよい。または、有底のケース１４としてもよい。
【００１６】
本実施形態では、図１に示すように、ケース１４の上端周縁に鍔状部１７を設けている。本実施形態では、この鍔状部１７を、ケース１４の上端周縁の全周に亘って設けている。
鍔状部１７は、ケース１４の上端周縁から径方向に突出するように設けられている。この鍔状部１７は、ケース１４の下側部位（鍔状部１７が設けられていない下側部位）と同心状で、このケース１４の下側部位よりも大径状とされている。
また、鍔状部１７は、鍔状部１７の突出方向先端面（外周側面）と、この外周側面の上端周縁に連なるように、鍔状部１７の下方側から上方側に向けて縮径するようなテーパー面と、を有している。つまり、鍔状部１７は、上面側が径方向へ下る傾斜面とされている。
この鍔状部１７の厚さ寸法（上下寸法）は、１ｍｍ〜３ｍｍ程度の比較的に薄い厚さ寸法とされている。また、この鍔状部１７の径方向への突出寸法は、例えば、数ｍｍ程度としてもよい。
なお、ケース１４を、上記中空部を有したインナーケースと、このインナーケースを収容する筒形状のアウターケースと、を備えたものとしてもよい。また、この場合、アウターケースの上端周縁とインナーケースの上端周縁とによって、鍔状部１７を構成するようにしてもよい。
【００１７】
また、本実施形態では、図１に示すように、ケース１４の底部に、収容穴５の内底面６に弾接されて、ケース１４の鍔状部１７を、後記するフランジ部材２０の下面側に圧接させる弾性部材１６を設けている。
弾性部材１６は、少なくとも上下方向（厚さ方向）に伸縮する弾性を有したエラストマー系材料や、軟質の発泡系材料等から形成されたものとしてもよい。
本実施形態では、弾性部材１６を、略円柱形状（略円盤形状）とし、その外周径寸法をケース１４の下側部位の外周径寸法と略同寸法とした例を示している。
【００１８】
また、この弾性部材１６の厚さ寸法は、床４の収容穴５の加工誤差等を効果的に吸収する観点や、鍔状部１７をフランジ部材２０の下面側に圧接させる観点等から、適宜、設定するようにしてもよい。例えば、上下方向に圧縮されていない自然状態における弾性部材１６の厚さ寸法を、３ｍｍ〜１０ｍｍ程度としてもよい。
また、本実施形態では、この弾性部材１６を、ケース１４に対して固定的に設けている。この弾性部材１６は、ケース１４の底部に、例えば、接着剤や粘着材等によって固定するようにしてもよい。
なお、弾性部材１６は、ケース１４の外周径寸法に応じた外周径寸法とされたものに限定されず、弾性部材１６の外周径寸法を、ケース１４の外周径寸法よりも大きくしたり、小さくしたりしてもよい。
【００１９】
昇降体１１は、本実施形態では、二段階に伸縮する構造とされている。
この昇降体１１は、図１に示すように、円柱形状とされた第１ピン１３と、この第１ピン１３が上方に向けて出没自在に嵌め込まれ、上下に開口する略円筒形状とされた第２ピン１２とを備えている。これら第１ピン１３及び第２ピン１２は、同心状に設けられている。
この第１ピン１３の先端部が吊戸２の下端面に形成されたガイド溝３に挿入されて、吊戸２がガイドされる構造とされている。
この昇降体１１は、収縮状態では、ケース１４の上面から突出せず、昇降体１１の全体がケース１４内に収容される構成とされている。一方、昇降体１１は、伸長状態では、ケース１４の上面から第２ピン１２及び第１ピン１３が上方に向けて突出した状態となる。
【００２０】
本実施形態では、昇降体１１を、磁石を内蔵させた、いわゆるマグネットガイドピンとしている。この磁石は、例えば、第１ピン１３に埋め込むように設けるようにしてもよい。また、このように、昇降体１１を、マグネットガイドピンとして、当該吊戸ガイド装置１を、いわゆるマグネットガイドとした場合には、吊戸２のガイド溝３等に、昇降体１１の磁石を吸着する磁石や磁性体等を適宜、長手方向に沿って設けるようにしてもよい。
上記構成により、吊戸２が昇降体１１の上方に来れば、昇降体１１が吊戸２のガイド溝３に吸着して伸長し、昇降体１１がガイド溝３に挿入されて、吊戸２がガイドされる。これにより、吊戸２の戸厚方向への振れが抑制されながら、吊戸２のガイドがなされる。
【００２１】
また、本実施形態では、図１及び図２に示すように、昇降体１１を、ケース１４に対して平面視して偏心した位置に設けている。また、ケース１４の中空部は、昇降体１１の偏心位置に応じて形成されている。このように、外郭形状が平面視略円形状とされたケース１４に対して平面視して偏心した位置に昇降体１１を設けた構成とすることで、後記するように、昇降体１１を吊戸２のガイド溝３の溝幅方向中心に位置させるように位置調整することができる。
なお、ガイド装置本体１０の昇降体１１やケース１４は、合成樹脂系材料や金属系材料等から形成されたものとしてもよい。
また、上記のように、昇降体１１に磁石を設け、吊戸２のガイド溝３側に吸着されて昇降体１１が突出する構成とした態様に代えて、ケース１４内に、昇降体１１を上方に突出させる方向に付勢する圧縮コイルばね等のばね部材等からなる付勢部材を設ける態様としてもよい。
【００２２】
フランジ部材２０は、図１に示すように、ケース１４の上端周縁部を上方から押さえるように、かつ収容穴５を覆うように床４に固定される構造とされている。本実施形態では、ケース１４の上端周縁に、鍔状部１７を設けており、この鍔状部１７をケース１４の上端周縁部としている。
本実施形態では、このフランジ部材２０は、図２に示すように、外郭形状が平面視略円形状の略円板形状とされている（図１も参照）。
また、本実施形態では、フランジ部材２０の上面は、その円心側から外周側に向けて緩やかな降り勾配のテーパー状とされている。つまり、円心側よりも外周側の厚さ寸法が小さく形成されている。
このフランジ部材２０の厚さ寸法は、例えば、少なくとも外周側を、２．０ｍｍ〜５．０ｍｍ程度としてもよい。このように比較的に薄く、また、外周側に向かうに従い薄く形成することで、フランジ部材２０における躓き等を抑制することができる。
【００２３】
また、フランジ部材２０の外周径寸法は、見栄えやフランジ部材２０の固定態様等に応じて、例えば、ケース１４（下側部分）の外周径寸法の１．５倍〜５．０倍程度の寸法としてもよい。
また、フランジ部材２０には、その平面視における円心に、厚さ方向に貫通する開口２１が設けられている。本実施形態では、開口２１を平面視略円形状とした例を示している。
この開口２１の開口径は、ケース１４の上端周縁部（鍔状部）１７の外周径よりも小とされている。また、このフランジ部材２０は、その下面側開口周縁部２２が、ケース１４の鍔状部１７に当接される構造とされている。本実施形態では、ケース１４の全周に亘って設けられた鍔状部１７に、フランジ部材２０の下面側開口周縁部２２が全周に亘って当接される構造とされている。
【００２４】
また、本実施形態では、図１及び図２に示すように、フランジ部材２０の下面側開口周縁部の全周に亘って、ケース１４の鍔状部（上端周縁部）１７を受け入れる凹状段部２２を設けており、この凹状段部２２が、ケース１４の鍔状部１７に当接される構造とされている。
この凹状段部２２は、フランジ部材２０の開口周縁部の下面側を切欠くように形成されている。また、この凹状段部２２は、ケース１４の鍔状部１７の外周形状に応じた形状とされており、ケース１４の鍔状部１７を凹状段部２２に受け入れた状態で、当該フランジ部材２０に対するケース１４の床４面域方向への移動を規制する構成とされている。
【００２５】
また、本実施形態では、凹状段部２２を、ケース１４の鍔状部１７に応じた形状としている。つまり、凹状段部２２は、鍔状部１７の外周側面に当接または近接される段壁面と、鍔状部１７のテーパー面に当接または近接されるテーパー面と、を有している。
また、図例では、凹状段部２２を、ケース１４の鍔状部１７を凹状段部２２に受け入れた状態で、鍔状部１７の下面とフランジ部材２０の下面とが略面一となるように形成している。なお、凹状段部２２としては、その下面側に向く段底面（図例ではテーパー面）に、ケース１４の鍔状部（上端周縁部）１７が当接され、その開口２１の円心側に向く段壁面に、ケース１４の鍔状部（上端周縁部）１７の外周側面が当接または近接されるものとしてもよい。例えば、上記のように段底面をテーパー面とせずに、床４に平行な平坦面としてもよい。また、ケース１４の鍔状部１７を凹状段部２２に受け入れた状態で、鍔状部１７の下面がフランジ部材２０の下面よりも上側位置や下側位置となるものとしてもよい。
【００２６】
また、本実施形態では、フランジ部材２０に、フランジ部材２０を床４に固定する止具７が挿通される止具挿通孔２５を設けている。止具挿通孔２５は、フランジ部材２０を、厚さ方向に貫通して設けられている。図例では、フランジ部材２０の周縁近傍部位に、周方向に沿って互いに略等間隔を開けて複数（図例では、四つ）の止具挿通孔２５を設けた例を示している。また、図例では、上側部位を止具７の頭部収容凹所となる大径状とした止具挿通孔２５を示している。
なお、フランジ部材２０は、金属系材料等から形成されたものとしてもよい。
【００２７】
止具７は、上記したような取付対象としての床４に応じて、適宜、選択するようにしてもよく、例えば、上述のようなコンクリートにも比較的に保持力を得られるコンクリート用の止具７としてもよい。このような止具７としては、例えば、床４に形成した止具穴に打ち込まれる雌ねじ部を設けたアンカープラグと、この雌ねじ部に捩じ込まれるボルトと、を備え、止具穴内でアンカープラグが拡径して固定されるようなコンクリート用のアンカーボルト等を用いるようにしてもよい。
このようなアンカープラグを備えた止具７としては、止具穴への打ち込みによってアンカープラグの拡径部が拡径して止具穴に固定される構造とされたものとしてもよく、または、アンカープラグの雌ねじ部へのボルトの螺合を伴ってアンカープラグの拡径部が拡径して止具穴に固定される構造とされたものとしてもよい。
なお、図例では、止具挿通孔２５の個数を四個としているが、止具挿通孔２５の個数は限定されず、フランジ部材２０の床４への固定強度の観点等から適宜の個数の止具挿通孔２５をフランジ部材２０に設けるようにしてもよい。
【００２８】
上記構成とされた吊戸ガイド装置１の施工態様としては、図１（ｂ）に示すように、まず、床４に、ガイド装置本体１０を収容させる収容穴５を形成する。上記のような床４には精度良く収容穴５を形成し難いので、ケース１４の外周径寸法よりも若干大きめな径寸法となるように、収容穴５を形成するようにしてもよい。収容穴５の径寸法は、フランジ部材２０の径よりも小さく、かつ、フランジ部材２０の床４への固定が可能な径とすればよい。本実施形態のように、フランジ部材２０に止具７の止具挿通孔２５を設けた場合には、止具７によるフランジ部材２０の床４への固定強度等を考慮して、止具挿通孔２５が設けられた部位よりも小径となるように、収容穴５を形成するようにしてもよい。また、この収容穴５の深さ寸法は、ケース１４の下側部位の厚さ寸法（上下寸法）に最大限圧縮状態とされた弾性部材１６の厚さ寸法を加えた寸法よりも大きく、かつケース１４の下側部位の厚さ寸法（上下寸法）に自然状態とされた弾性部材１６の厚さ寸法を加えた寸法よりも小さい寸法としてもよい。
上記のように、本実施形態では、弾性部材１６をケース１４に設けているので、収容穴５を、その深さ寸法を高精度に形成する必要性が低減され、深めに収容穴５を形成するようにしてもよい。
次いで、ガイド装置本体１０を、床４に形成された収容穴５に収容する。次いで、その上方側からフランジ部材２０を、ケース１４の鍔状部１７を上方から押さえるように、床４に押さえつけるように配設し、止具７をフランジ部材２０の止具挿通孔２５に挿通させて、フランジ部材２０を床４に固定するようにしてもよい。
【００２９】
また、このように吊戸ガイド装置１を施工する際に、昇降体１１を吊戸２のガイド溝３の溝幅方向中心に位置させるように位置調整するようにしてもよい。
このような位置調整の態様としては、例えば、ケース１４を収容穴５に収容させ、フランジ部材２０を床４に仮固定した状態で、位置調整を行うようにしてもよい。この場合、昇降体１１の位置調整を行った後に、フランジ部材２０を床４に本固定するようにしてもよい。また、本実施形態のようにケース１４の底部に弾性部材１６を設けた場合には、ケース１４を収容穴５に収容させ、フランジ部材２０を床４に固定した状態で、昇降体１１を上昇位置とし、弾性部材１６を弾性変形させるようにケース１４を押し込んで昇降体１１の位置調整を行うようにしてもよい。また、このように昇降体１１の位置調整を行う際には、ケース１４自体を収容穴５に対して回転させるようにしてもよい。または、ケース１４をインナーケースとアウターケースとで構成した場合には、アウターケースに対してインナーケースを回転させて昇降体１１の位置調整を行うようにしてもよい。
【００３０】
上記構成とされた本実施形態に係る吊戸ガイド装置１によれば、吊戸ガイド装置１のケース（本体）１４を収容させる穴を精度良く形成し難い床４に対しても、強固に取り付けることができる。
つまり、吊戸ガイド装置１は、ケース１４の上端周縁部（鍔状部）１７を上方から押さえるように、かつ収容穴５を覆うように床４に固定されるフランジ部材２０を備えているので、ケース１４の収容穴５を精度良く形成し難い床４に対しても、吊戸ガイド装置１を強固に取り付けることができる。つまり、例えば、収容穴５を、コンクリート仕上げとされた床４や、タイル仕上げとされた床４、コンクリート下地上に薄床材を貼着したような床４等に形成するような場合には、精度良く形成することが困難となる。本実施形態では、ケース１４の鍔状部１７を上方から押さえるように、かつ収容穴５を覆うように床４に固定されるフランジ部材２０を備えているので、収容穴５の径寸法がケース１４の外周径寸法よりも大きく形成された場合でも、このフランジ部材２０によってケース１４を強固に固定することができる。また、収容穴５の径をケース１４の外周径寸法に応じた径となるように精度良く形成する必要性を低減させることもできる。
【００３１】
また、本実施形態では、ケース１４の底部に、収容穴５の内底面６に弾接されて、ケース１４の鍔状部１７をフランジ部材２０の下面側に圧接させる弾性部材１６を設けている。従って、この弾性部材１６によってケース１４がフランジ部材２０の下面側に圧接されるので、収容穴５に収容されたケース１４のガタつきを抑えることができる。また、収容穴５の内底面６に凹凸等が生じたり、収容穴５の深さ寸法を深くし過ぎてしまったような場合にも、弾性部材１６によってケース１４が上方側に押し上げられ、ケース１４の上端周縁部（鍔状部）１７がフランジ部材２０の下面側に圧接されるので、ケース１４を安定的に収容させることができる。
【００３２】
また、本実施形態では、弾性部材１６を、ケース１４の底部に固定的に設けているので、取り扱い性及び施工性を向上させることができる。
なお、このように弾性部材１６をケース１４に固定的に設けた態様に代えて、弾性部材１６を、ケース１４とは別体とし、例えば、施工時等に、ケース１４に対して粘着材や接着剤等によって固定されるものとしてもよい。または、弾性部材１６を、施工時に、床４に形成された収容穴５に収容されるものとしてもよい。さらには、このような弾性部材２０を設けないようにしてもよい。
【００３３】
また、本実施形態では、ケース１４の上端周縁に鍔状部１７を設け、この鍔状部１７にフランジ部材２０の下面側開口周縁部２２が当接される構造とされている。これにより、例えば、ケース１４の上端周縁に鍔状部１７を設けない場合と比べて、昇降体１１を収容するケース１４の下側部位の小径化を図りながらも、鍔状部１７に、フランジ部材２０の下面側開口周縁部２２を当接させて、ケース１４を安定的に固定することができる。
【００３４】
また、本実施形態では、鍔状部１７を、ケース１４の上端周縁に全周に亘って設け、この鍔状部１７に、フランジ部材２０の下面側開口周縁部２２が全周に亘って当接される構造としている。従って、例えば、鍔状部１７を部分的に設けたものと比べて、フランジ部材２０の下面側開口周縁部２２との当接面積を効果的に大きくすることができ、ケース１４をより安定的に固定することができる。
【００３５】
また、本実施形態では、フランジ部材２０の下面側開口周縁部２２に、ケース１４の上端周縁部（鍔状部）１７を受け入れる凹状段部２２を全周に亘って設けている。従って、ケース１４の鍔状部１７を、フランジ部材２０の凹状段部２２に受け入れさせることができ、床４面域方向へのケース１４の移動を規制することができる。また、このように鍔状部１７を受け入れる凹状段部２２を設けているので、フランジ部材２０の厚さを比較的に確保可能でありながらも、フランジ部材２０の開口２１周縁上面と、ケース１４の上面との段差を小さくすることができる。
【００３６】
また、本実施形態では、フランジ部材２０には、フランジ部材２０を床４に固定する止具７が挿通される止具挿通孔２５が設けられているので、上記のようにアンカーボルト等の止具７によってフランジ部材２０を床４に強固に固定することができる。なお、このような止具挿通孔２５を設けずに、例えば、接着剤等によってフランジ部材２０を固定するようにしてもよく、または、施工現場等において適宜、止具孔が形成されるものとしてもよい。
【００３７】
なお、本実施形態では、ケース１４の上端周縁の全周に亘って鍔状部１７を設けた例を示したが、この態様に限定されず、ケース１４の上端周縁に部分的に鍔状部１７を設けた態様としてもよい。または、このような鍔状部１７をケース１４の上端周縁に設けないようにしてもよい。この場合は、フランジ部材２０によってケース１４自体の上端周縁部を押さえる態様としてもよい。また、この場合は、フランジ部材２０の凹状段部２２を、ケース１４自体の上端周縁部を受け入れる構成としてもよい。
また、本実施形態では、フランジ部材２０の下面側開口周縁部に、凹状段部２２を全周に亘って設けた例を示しているが、このような凹状段部２２を設けないようにしてもよい。
【００３８】
また、本実施形態では、ケース１４の外郭形状を平面視略円形状とした例を示しているが、この態様に限定されず、ケース１４の外郭形状を平面視略矩形状や略楕円形状等としてもよい。この場合、ケース１４の外郭形状に応じてフランジ部材２０の開口２１の形状等を適宜変形するようにしてもよい。
また、本実施形態では、昇降体１１を、ケース１４に対して平面視して偏心した位置に設けた例を示しているが、この態様に限定されず、昇降体１１を、平面視してケース１４の略中心に設けるようにしてもよい。
また、図例では、本実施形態に係る吊戸ガイド装置１によってガイドされる吊戸２を、片引式の一枚の引戸とした例を示したが、この態様に限定されない。吊戸としては、例えば、引き違い状や、引き分け状の複数枚の吊戸としてもよい。また、図例では、袖壁納めとした吊戸２を例示したが、戸袋納めや、アウトセット納めとした吊戸としてもよい。また、このような吊戸の枚数や、納め態様等に応じて、本実施形態に係る吊戸ガイド装置１を適宜の配設位置や個数で設けるようにすればよい。
【符号の説明】
【００３９】
１                吊戸ガイド装置
１１              昇降体
１４              ケース
１６              弾性部材
１７              鍔状部（上端周縁部）
２０              フランジ部材
２２              凹状段部（下面側開口周縁部）
２５              止具挿通孔
２                吊戸
３                ガイド溝
４                床
５                収容穴
６                内底面
７                止具
【図１】
2014020049.tif 000003
【図２】
2014020049.tif 000004
【図３】
2014020049.tif 000005